(57)【要約】【課題】  基板面積を有効活用でき、検査の作業性が良好なものを提供する。【解決手段】  プリント基板１２の表面には、複数の端子１７が並んで設けられている。ＴＣＰ１３の表面には、プリント基板１２の端子１７に整合する複数の端子２１が並んで設けられている。両者の端子１７，２１は、互いに重ね合わせられた状態で互いに接続される。ＴＣＰ１３の端子２１における側縁部には、その一部を他から端子２１群の並び方向に沿って所定寸法ずらすようにして形成された指標側縁部２２が設けられている。この指標側縁部２２を目安にして端子１７，２１同士のずれ量を確認することができる。【選択図】  図６
2007335421.tif 000002
【特許請求の範囲】
【請求項１】
表面に複数の端子が並べられた第１の回路基板と、この第１の回路基板の前記端子に整合する複数の端子が表面に並べられた第２の回路基板とを、両回路基板の対応する各端子を重ね合わせた状態で互いに接続する回路基板の接続構造において、
前記第１及び第２の回路基板のうち一方の回路基板の端子の側縁部には、その一部を他から凹む形態、または突出する形態に形成した指標側縁部が設けられていることを特徴とする回路基板の接続構造。
【請求項２】
前記指標側縁部は、前記端子の側縁部に凹部を形成することにより設けられていることを特徴とする請求項１記載の回路基板の接続構造。
【請求項３】
前記凹部は、前記端子の幅寸法の１／２の大きさをもって形成されていることを特徴とする請求項２記載の回路基板の接続構造。
【請求項４】
前記凹部は、前記端子の両側縁部に対をなし、かつ端子の長手方向に沿ってずれるように設けられるとともに、それらの対をなす両凹部のうち前記側縁から最も離れた部分が前記側縁に平行な直線上に位置するよう形成されていることを特徴とする請求項２または請求項３記載の回路基板の接続構造。
【請求項５】
前記指標側縁部は、前記端子の先端部に形成されていることを特徴とする請求項１ないし請求項４のいずれかに記載の回路基板の接続構造。
【請求項６】
前記指標側縁部は、前記端子の並び方向に沿った両側の側縁部に設けられていることを特徴とする請求項１ないし請求項５のいずれかに記載の回路基板の接続構造。
【請求項７】
表面に複数の端子が並べられた第１の回路基板と、この第１の回路基板の前記端子に整合する複数の端子が表面に並べられた第２の回路基板とを、両回路基板の対応する各端子が互いに重ね合わされた状態で接続される回路基板を製造する方法であって、
前記第１及び第２の回路基板のうちの一方に、端子の側縁部の一部が他の部分から凹む形態、または突出する形態の指標側縁部を有した形状の端子を形成する端子形成工程と、前記回路基板の他方に形成した端子に対して一方の回路基板の端子を位置合わせする位置合わせ工程と、両端子を互いに接続する接続工程と、指標側縁部を目視することで接続した両端子のずれ状況を検査する検査工程とを行うことを特徴とする回路基板の製造方法。
【請求項８】
前記両回路基板のうちの少なくとも一方は透光性フィルムの表面に所定パターンの導電路を形成した透光性フィルム基板であり、前記検査工程は前記透光性フィルム基板側から目視して行うことを特徴とする請求項７記載の回路基板の製造方法。
【発明の詳細な説明】
【技術分野】
【０００１】
本発明は、回路基板の接続構造及び回路基板の製造方法に関する。
【背景技術】
【０００２】
例えば、液晶テレビなどの液晶表示装置では、液晶パネルをプリント基板に接続するにあたりＴＣＰ（Tape Carrier Package）を用いるようにしている。このＴＣＰは、大まかにはフレキシブルな耐熱性フィルム上にＬＳＩなどのドライバを搭載して樹脂封止した構成のものであり、フィルムの表面には所定パターンの導電路が形成されるとともに、フィルムの両端にそれぞれ端子が並んだ状態で形成されている。これらの端子群は、液晶パネル側の端子やプリント基板側の端子に対して、例えばＡＣＦ（Anisotropic Conductive Film：異方性導電膜）を介して接続されるようになっている。このＡＣＦによりプリント基板とＴＣＰとを接続する作業は、以下のようにして行われる。
【０００３】
まずプリント基板のうち端子を形成した部分にテープ状のＡＣＦを貼り付け、その上にＴＣＰを載せて両者の端子同士を位置合わせた状態で加熱圧着することで、重ね合わされた端子同士がＡＣＦの導電粒子により電気的に接続されるようになっている。
【０００４】
上記のようにして接続作業を行った後、接続が適切になされたか否かを検査するため、拡大鏡などを用いた目視検査が行われる。この目視検査では、例えば両者の端子が幅方向に位置ずれした状態で接続されていないか、などを目視して検査するようにしており、位置ずれ量が許容範囲を超えているもののように接続が不適切であると判定されたものについては、圧着作業のやり直しを行う。
【０００５】
このような目視検査に関する従来技術として下記特許文献１，２に記載されたものが知られている。このうち、特許文献１に記載されたものは、液晶パネルとＴＣＰのフィルムとにそれぞれマークを形成し、両者を位置合わせする際や圧着後に両マークが互いに整合しているか否かを目視検査するようにしたものである。
【０００６】
一方、特許文献２に記載されたものは、プリント基板側の端子の幅寸法を、ＴＣＰ側の端子の幅寸法よりも大きく設定しており、これにより両端子が左右いずれかに位置ずれした場合に、両端子の幅寸法の差の分だけ両端子の重ならない範囲が広くなり、ずれを容易に視認できるというものである。
【特許文献１】特開２００２−９４１２公報
【特許文献２】特開２００４−８７９３８公報
【発明の開示】
【発明が解決しようとする課題】
【０００７】
しかしながら、上記のような特許文献１，２に記載された方法には、以下の問題があった。すなわち、特許文献１に記載の方法では、液晶パネルやプリント基板に対してマークを印刷する必要があるため、その印刷工程を製造工程中に追加する必要があり、また液晶パネルやプリント基板にマークを形成するためのスペースを確保する必要があるという問題がある。
【０００８】
また特許文献２に記載の方法では、両端子が重ならない範囲を増加することはできるものの、両端子の位置ずれ量がどれだけかについては依然として分かり難く、作業者の裁量にゆだねられているのが現状であった。従って、検査ミスが発生する可能性が高く、また位置ずれ量の判定が難しいため作業性も芳しくなかった。
【０００９】
本発明は上記のような事情に基づいて完成されたものである。
【課題を解決するための手段】
【００１０】
上記の目的を達成するための手段として、請求項１の発明に係る回路基板の接続構造は、表面に複数の端子が並べられた第１の回路基板と、この第１の回路基板の前記端子に整合する複数の端子が表面に並べられた第２の回路基板とを、両回路基板の対応する各端子を重ね合わせた状態で互いに接続する回路基板の接続構造において、前記第１及び第２の回路基板のうち一方の回路基板の端子の側縁部には、その一部を他から前記端子群の並び方向に沿って所定寸法だけずらすようにして形成した指標側縁部が設けられている構成としたところに特徴を有する。
【００１１】
請求項２の発明は、請求項１に記載のものにおいて、前記指標側縁部は、前記端子の側縁部に切欠部を形成することにより設けられているところに特徴を有する。
【００１２】
請求項３の発明は、請求項２に記載のものにおいて、前記指標側縁部は、前記端子の幅寸法の１／２の大きさをもって形成されているところに特徴を有する。
【００１３】
請求項４の発明は、請求項２または請求項３に記載のものにおいて、前記凹部は、前記端子の両側縁部に対をなし、かつ端子の長手方向に沿ってずれるように設けられるとともに、それらの対をなす両凹部のうち前記側縁から最も離れた部分が前記側縁に平行な直線上に位置するよう形成されているところに特徴を有する。
【００１４】
請求項５の発明は、請求項１ないし請求項４のいずれかに記載のものにおいて、前記指標側縁部は、前記端子の先端部に形成されているところに特徴を有する。
【００１５】
請求項６の発明は、請求項１ないし請求項５のいずれかに記載のものにおいて、前記指標側縁部は、前記端子の並び方向に沿った両側の側縁部に設けられているところに特徴を有する。
【００１６】
請求項７の発明に係る回路基板の製造方法は、表面に複数の端子が並べられた第１の回路基板と、この第１の回路基板の前記端子に整合する複数の端子が表面に並べられた第２の回路基板とを、両回路基板の対応する各端子が互いに重ね合わされた状態で接続される回路基板を製造する方法であって、前記第１及び第２の回路基板のうちの一方に、端子の側縁部の一部が他の部分から凹む形態、または突出する形態の指標側縁部を有した形状の端子を形成する端子形成工程と、前記回路基板の他方に形成した端子に対して一方の回路基板の端子を位置合わせする位置合わせ工程と、両端子を互いに接続する接続工程と、指標側縁部を目視することで接続した両端子のずれ状況を検査する検査工程とを行うところに特徴を有する。
【００１７】
請求項８の発明は、請求項７に記載のものにおいて、前記両回路基板のうちの少なくとも一方は透光性フィルムの表面に所定パターンの導電路を形成した透光性フィルム基板であり、前記検査工程は前記透光性フィルム基板側から目視して行うところに特徴を有する。
【発明の効果】
【００１８】
＜請求項１及び請求項７の発明＞
指標側縁部を目安にして端子同士のずれ量を確認することができる。従って、検査でずれ量が許容範囲であるか否かの判定を容易に行うことができ、作業性も良好なものとなる。しかも、端子自体を利用して指標とするものであるから、確認用のマーク（指標）を別に印刷等によって設ける場合に比べ、印刷工程を追加する必要はないし、基板面積を有効活用できる。
【００１９】
＜請求項２の発明＞
端子に指標側縁部を設けても、端子本来の幅寸法は変わらないから、狭ピッチの端子群にも適用できる。
【００２０】
＜請求項３の発明＞
１つの指標側縁部で両方向のどちらにずれた場合でも位置ずれを検出することができる。
【００２１】
＜請求項４の発明＞
位置ずれ量が許容範囲を越えたとき、両方の指標側縁部に変化が現れるので、目視による確認がより容易なものとなる。
【００２２】
＜請求項５の発明＞
指標側縁部の位置が見付けやすいので、確認しやすい。
【００２３】
＜請求項６の発明＞
両方向のずれに対処できる。
【００２４】
＜請求項８の発明＞
透光性フィルムを通して指標側縁部を目視して両端子のずれを検査することができる。
【発明を実施するための最良の形態】
【００２５】
＜実施形態１＞
本発明の実施形態１を図１ないし図６によって説明する。この本実施形態では、液晶表示装置１０に用いられるプリント基板１２とＴＣＰ１３（Tape Carrier Package）とを接続する場合について例示する。
【００２６】
液晶表示装置１０は、大まかには、図１に示すように、スイッチング素子としてＴＦＴを用いた液晶パネル１１と、電気部品などが搭載されたプリント基板１２と、これら液晶パネル１１及びプリント基板１２を互いに接続するためのＴＣＰ１３とを備える。液晶パネル１１は、所定のギャップを介して対向させた状態で平行に支持した一対のガラス基板間に、液晶層を挟持させた構成とされる。また両ガラス基板における液晶層とは反対側の面には、一対の偏光板が貼り付けられる。
【００２７】
両ガラス基板のうち、一方のガラス基板における液晶層側の面には、ＴＦＴのドレイン電極に接続された画素電極がＴＦＴと共にマトリクス状に多数並列して配設されるとともに、ＴＦＴのソース電極に接続されたソース配線と、ＴＦＴのゲート電極に接続されたゲート配線とが各画素電極の周囲を通りつつ互いに直交するよう設けられている。また他方のガラス基板には、Ｒ，Ｇ，Ｂ各色のカラーフィルタ層や対向電極が形成されている。
【００２８】
そして、ＴＦＴなどを設けたガラス基板における図示上側端部には、ソース配線に接続された端子群が並列配置され、図示左右両側端部には、ゲート配線に接続された端子群がそれぞれ並列配置されており、これら各端子群配置領域にそれぞれＴＣＰ１３が接続されるようになっている。
【００２９】
プリント基板１２の表面には、図２に示すように、導電路１４が所定のパターンで形成されるとともに、抵抗やダイオードやコンデンサなどの電気部品１５が搭載され、且つ他のコントロール基板（図示せず）に接続するためのコネクタ１６が設けられている。プリント基板１２における液晶パネル１１側の端部（詳しくは先端位置からはやや引っ込んだ位置）には、導電路に接続された多数本の端子１７が並列配置されており、この端子群形成領域に対してＴＣＰ１３が接続されるようになっている。各端子は、プリント基板１２の表面に積層された銅箔からなるとともに、互いに平行で所定の間隔を空けた状態で並んで配されており、その幅寸法は、例えば０．２２ｍｍ程度の大きさとされる。
【００３０】
ＴＣＰ１３は、図３に示すように、耐熱性に優れたフィルム１８の表面にＬＳＩチップなどのドライバ１９を搭載するとともに、これを樹脂封止した構成とされる。フィルム１８は、透光性を備えたフレキシブルな薄膜状に形成されており、その表面には、ドライバ１９に接続された導電路２０が所定のパターンで形成されている。
【００３１】
そして、フィルム１８のうちドライバ１９を挟んだ両端部には、導電路２０に接続された端子２１が多数本ずつ並列した状態で配置されている。このＴＣＰ１３における一方の端部に配した端子２１群がプリント基板１２の端子１７群に、他方の端部に配した端子２１群が液晶パネル１１の端子群に対してそれぞれＡＣＦ（Anisotropic Conductive Film：異方性導電膜）を介して加熱圧着されるようになっており、これによりプリント基板１２と液晶パネル１１とがＴＣＰ１３を介して電気的に接続されるようになっている。なお、図３ではＴＣＰ１３における液晶パネル用の端子について図示を省略している。
【００３２】
ＴＣＰ１３の各端子２１は、フィルム１８の表面に積層した銅箔の表面に錫メッキを施した構成とされるとともに、互いに平行で所定の間隔を空けた状態で並んで配されている。両端子２１群は、プリント基板１２の端子１７群や液晶パネル１１の端子群と整合する配置、つまり各端子２１のピッチが、対応するプリント基板１２の端子１７のピッチや液晶パネル１１の端子のピッチとほぼ同じに設定されている。ＴＣＰ１３の各端子２１のうち、プリント基板１２と接続される各端子２１は、幅寸法がプリント基板１２側の端子１７よりも小さく設定されており、その大きさは例えば０．１８ｍｍ程度とされる。
【００３３】
さて、ＴＣＰ１３におけるプリント基板１２用の各端子２１には、図３に示すように、接続時にプリント基板１２の端子１７との間で生じ得るずれを目視検査する際の指標（目安）となる指標側縁部２２が設けられている。指標側縁部２２は、端子２１の側縁部を部分的に凹ませる形態、詳しくは端子２１の側縁部に略台形状の凹部を形成してなり、各端子２１の左右両側縁部に一対ずつ設けられている。言い換えると、指標側縁部２２は、端子２１の側縁部における一部を他の部分から幅方向（端子群の並び方向）に沿って所定寸法だけずらすようにして形成されている。
【００３４】
両指標側縁部２２は、端子２１の長手方向の途中位置に配され、且つ左右で端子２１の長手方向に沿って図示奥側と手前側とにずれた位置に配されている。各指標側縁部２２の周縁は、端子２１の側縁２１ａに沿って平行な部分２２ａと、斜めをなすとともに平行部分２２ａを端子２１の側縁２１ａに繋ぐ部分とから構成される。このうち平行部分２２ａは、指標側縁部２２の周縁のうち端子２１の側縁２１ａから最も離れた部分とされる。両指標側縁部２２の凹み幅は、ＴＣＰ１３の端子２１の幅寸法の約１／２に設定されており、周縁における平行部分２２ａが共に端子２１の幅方向中央位置に配され、一直線状をなしている。つまり、対をなす両指標側縁部２２の平行部分２２ａは、共に端子２１の側縁２１ａに平行な直線上に位置している。
【００３５】
続いて、プリント基板１２とＴＣＰ１３との接続に関する作業手順を説明する。プリント基板１２とＴＣＰ１３との接続作業は、プリント基板１２やＴＣＰ１３を製造する工程（ＴＣＰ１３に指標側縁部２２を有する端子２１を形成する端子形成工程を含む）と、プリント基板１２にＡＣＦを貼り付けるＡＣＦ貼付工程と、プリント基板１２の端子１７とＴＣＰ１３の端子２１とを位置合わせする位置合わせ工程と、重ね合わせた両端子１７，２１を接続する接続工程と、接続した両端子１７，２１のずれ状況を検査する検査工程とを経て行われる。
【００３６】
製造工程を経て得られたＴＣＰ１３は、先に液晶パネル１１に対して接続される。このＴＣＰ付きの液晶パネル１１と、プリント基板１２とを図示しない加熱圧着装置にセットする。そして、プリント基板１２に形成された端子１７群に沿ってテープ状のＡＣＦを貼り付け、ＡＣＦのセパレータの上から仮圧着する。その後、ＡＣＦのセパレータを剥離してから、ＡＣＦ上にＴＣＰ１３の端部を載せるとともに、プリント基板１２の端子１７群に対してＴＣＰ１３の端子２１群を位置合わせする。続いて、ＴＣＰ１３を緩衝材にて覆い、その上方から圧着ツールにより加熱圧着することで、プリント基板１２に対してＴＣＰ１３が固着されるとともに上下に重ね合わされて対向する端子１７，２１同士のみがＡＣＦの導電粒子により電気的に接続される。なおこれらの作業は、加熱圧着装置によって自動的に行われる。
【００３７】
上記のようにして接続工程を終えたら、続いて拡大鏡を用いて接続が適切に行われたか否かを目視検査する検査工程へと移る。この検査工程では、両端子１７，２１が幅方向について位置ずれした状態で接続されているか否か、位置ずれしていた場合は位置ずれ量（プリント基板１２の端子１７の側縁１７ａからＴＣＰ１３の端子２１がはみ出した量）が許容範囲内か否かなどを検査し、その結果、不適切な接続と判定されたものについては修理工程へと回されて圧着作業のし直しが行われる。
【００３８】
この両端子１７，２１の幅方向への位置ずれ許容量は、ＴＣＰ１３の端子２１の幅寸法の１／２の大きさ、つまり指標側縁部２２の凹み幅と同じ大きさに設定されている。この位置ずれ許容量の基準値は、両端子１７，２１間の接続抵抗値が所定の値を越えないように設定されている。なおＴＣＰ１３は、透光性を有するフィルム１８により形成されているので、フィルム１８により覆われるプリント基板１２の端子１７を上方から視認できるようになっている。
【００３９】
例えば、両端子１７，２１が位置ずれなく接続されていた場合、図４に示すように、プリント基板１２の端子１７の両側縁１７ａの内側には、ＴＣＰ１３の端子２１が、指標側縁部２２には、プリント基板１２の端子１７がそれぞれ視認されることになる。この場合は、両端子１７，２１が適切に接続されたと判定される。
【００４０】
続いて、両端子１７，２１が位置ずれした状態で接続された場合を説明する。この説明では、ＴＣＰ１３の端子２１がプリント基板１２の端子１７に対して図示左側に位置ずれして接続された場合を例示するが、逆に右側に位置ずれした場合でも同様に検査することができるのは言うまでもない。
【００４１】
両端子１７，２１の位置ずれ量が許容範囲内、つまりＴＣＰ１３の端子２１の幅寸法の１／２よりも小さい場合は、図５に示すように、ＴＣＰ１３の端子２１がプリント基板１２の端子１７の左側の側縁１７ａから左側へはみ出すとともに、左側の指標側縁部２２にはプリント基板１２の表面１２ａ及びプリント基板１２の端子１７の左側の側縁１７ａが視認され、且つ右側の指標側縁部２２にはプリント基板１２の端子１７が視認される。つまり、ＴＣＰ１３の端子２１がずれた側（左側）の指標側縁部２２の周縁における平行部分２２ａと、プリント基板１２の端子１７の側縁１７ａとの間には、プリント基板１２の端子１７が視認される。この場合は、両端子１７，２１が幅方向に位置ずれした状態で接続されているものの、その位置ずれ量は許容範囲内であるため、接続が適切になされたと判定される。
【００４２】
そして、両端子１７，２１の位置ずれ量が許容範囲を超えていた場合、つまり位置ずれ量がＴＣＰ１３の端子２１の幅寸法の１／２よりも大きい場合には、図６に示すように、ＴＣＰ１３の端子２１がプリント基板１２の端子１７の左側の側縁１７ａからはみ出すとともに、左側の指標側縁部２２にはプリント基板１２の端子１７が視認されずプリント基板１２の表面１２ａが視認され、且つ右側の指標側縁部２２にはプリント基板１２の端子１７の左側の側縁１７ａ、及びプリント基板１２の表面１２ａが視認される。つまり、ＴＣＰ１３の端子２１がずれた側の指標側縁部２２には、プリント基板１２の表面１２ａのみが視認されるとともに、反対側の指標側縁部２２における周縁の平行部分２２ａと、プリント基板１２の端子１７の側縁１７ａとの間には、プリント基板１２の端子１７ではなくプリント基板１２の表面１２ａが視認される。
【００４３】
このように左側の指標側縁部２２では、位置ずれ許容量が許容範囲内であれば視認されるはずの端子１７の側縁１７ａが視認されず、右側の指標側縁部２２では、視認されないはずの端子１７の側縁１７ａが視認でき、つまり両方の指標側縁部２２に変化が現われることになるので、この場合は、両端子１７，２１の接続状態が不適切であると判定される。
【００４４】
このように両端子１７，２１の位置ずれ量が許容範囲内の場合と、許容範囲を超えている場合とでは、指標側縁部２２を目視すれば一目瞭然でその違いを認識することができる。従って、位置ずれ量を判定する際に作業者の裁量に依存することがないので、判定結果にばらつきが生じることがなく、また判定も迅速に下すことができるので、作業性についても良好なものとなる。これにより、両端子１７，２１の幅方向への位置ずれ量が許容範囲内であるか否かを正確且つ簡単に検知することができる。しかも、端子２１自体を利用して指標とするものであるから、ＴＣＰ１３やプリント基板１２に別途確認用のマークを印刷等によって設ける場合と比べ、印刷工程を追加する必要がないし、基板面積を有効活用することができる。
【００４５】
その上、指標側縁部２２は、端子１７の側縁部に凹部を形成することにより設けられているから、指標側縁部２２を設けることに伴って端子２１が大型化することなく、端子２１本来の幅寸法に保つことができ、狭ピッチの端子２１群に好適となる。
【００４６】
さらには、指標側縁部２２を端子２１の両側の側縁部に設けるようにしたから、左右両方向の位置ずれに対処することができる。
【００４７】
また指標側縁部２２（凹部）は、端子２１の両側縁部に対をなし、且つ端子２１の長手方向に沿ってずれるように設けられるとともに、それらの対をなす両指標側縁部２２のうち側縁２１ａから最も離れた部分である平行部分２２ａが側縁２１ａに平行な直線上に位置するよう形成されているから、位置ずれ量が許容範囲を越えたとき、両方の指標側縁部２２に変化が現れ、もって目視による確認がより容易なものとなる。
【００４８】
＜実施形態２＞
本発明の実施形態２を図７ないし図９によって説明する。この実施形態２では、指標側縁部２２Ａの配設位置を変更したものを示す。なおこの実施形態２では、上記した実施形態１と同様の構造、作用及び効果について重複する説明は省略する。
【００４９】
両指標側縁部２２Ａのうち、左側の指標側縁部２２Ａは、図７に示すように、ＴＣＰ１３の端子２１における左側の側縁部の先端部に配されている。つまり、この指標側縁部２２Ａは、端子２１の並び方向（図示左方）へ開口するとともに、端子２１の長さ方向（図示奥方）へも開口する形態で形成されている。これに対し、右側の指標側縁部２２Ａは、端子２１における長さ方向について図示手前側へずれた位置に配され、端子２１の並び方向（図示右方）へのみ開口する形態とされる。
【００５０】
上記したように指標側縁部２２Ａを端子２１の先端部に形成するようにしたから、図８及び図９に示すように、端子２１が位置ずれしていた場合でも、作業者が指標側縁部２２Ａを見付けやすく、従って作業性が良好なものとなる。
【００５１】
＜実施形態３＞
本発明の実施形態３を図１０ないし図１２によって説明する。この実施形態３では、指標側縁部２２Ｂを１つだけ設けるようにしたものを示す。なおこの実施形態３では、上記した実施形態１と同様の構造、作用及び効果について重複する説明は省略する。
【００５２】
指標側縁部２２Ｂは、図１０に示すように、端子２１の右側の側縁部に１つ設けられている。指標側縁部２２Ｂは、その凹み幅がＴＣＰ１３の端子２１の幅寸法の約１／２に設定されている。指標側縁部２２Ｂの周縁のうち、端子２１の側縁２１ａと平行な部分２２Ｂａ（端子２１の側縁２１ａから最も離れた部分）が端子２１の幅方向中央位置に配されている。
【００５３】
まずＴＣＰ１３の端子２１がプリント基板１２の端子１７に対して左側に位置ずれした場合を説明する。位置ずれ量が許容範囲内の場合には、図１１（Ａ）に示すように、指標側縁部２２Ｂに端子１７の表面が視認されるのに対し、位置ずれ量が許容範囲を越えた場合には、図１１（Ｂ）に示すように、指標側縁部２２Ｂには端子１７の左側の側縁１７ａ及びプリント基板１２の表面１２ａが視認される。
【００５４】
次にＴＣＰ１３の端子２１がプリント基板１２の端子１７に対して図示右側に位置ずれした場合を説明する。位置ずれ量が許容範囲内の場合には、図１２（Ａ）に示すように、指標側縁部２２Ｂに端子１７の右側の側縁１７ａが視認されるのに対し、位置ずれ量が許容範囲を越えた場合には、図１２（Ｂ）に示すように、指標側縁部２２Ｂには端子１７の右側の側縁１７ａが視認されずにプリント基板１２の表面１２ａが視認される。
【００５５】
このように左右両方向のどちらに端子２１が位置ずれした場合でも、位置ずれ量が許容範囲を超えると指標側縁部２２Ｂに変化が現われることになる。従って、１つの指標側縁部２２Ｂを目視することで、端子２１が左右両方向のどちらに位置ずれしてもその位置ずれ量を検出することができる。指標側縁部２２Ｂが１つで済むので、指標側縁部２２Ｂの設置スペースが最小限で済む。なおこの実施形態では、端子２１の右側の側縁部に設けた場合を示したが、左側の側縁部に設けるようにしても構わず、その場合でも上記と同様の作用・効果を得ることができる。
【００５６】
＜実施形態４＞
本発明の実施形態４を図１３または図１４によって説明する。この実施形態４では、指標側縁部２２Ｃをプリント基板１２側の端子１７に設けるようにしたものを示す。なおこの実施形態４では、上記した実施形態１と同様の構造、作用及び効果について重複する説明は省略する。
【００５７】
プリント基板１２の端子１７の両側縁部には、図１３に示すように、指標側縁部２２Ｃが一対設けられている。両指標側縁部２２Ｃは、その凹み幅がプリント基板１２の端子１７の幅寸法の約１／２に設定されている。両指標側縁部２２Ｃの周縁のうち、端子１７の側縁１７ａと平行な部分２２Ｃａ（端子１７の側縁１７ａから最も離れた部分）は、共に端子１７の幅方向中央位置で且つ端子１７の側縁１７ａに沿った直線上に配されている。
【００５８】
両端子１７，２１の幅方向への位置ずれ許容量は、ＴＣＰ１３の端子２１の幅寸法からプリント基板１２の端子１７の幅寸法の１／２を差し引いた大きさ（０．０７ｍｍ）、つまり端子２１の幅寸法の２／５弱に設定されている。そして、ＴＣＰ１３の端子２１がプリント基板１２の端子１７に対して左側に位置ずれした場合で、その位置ずれ量が許容範囲内だったときは、図１４（Ａ）に示すように、左側の指標側縁部２２Ｃは全域が端子２１により覆われ、右側の指標側縁部２２Ｃには端子２１の右側の側縁２１ａが視認される。一方、位置ずれ量が許容範囲を超えていた場合は、図１４（Ｂ）に示すように、左側の指標側縁部２２Ｃには端子２１の右側の側縁２１ａ及びプリント基板１２の表面１２ａが視認され、右側の指標側縁部２２Ｃには端子２１の側縁２１ａが視認されずプリント基板１２の表面１２ａが視認される。このように位置ずれ量が許容範囲を超えると、両指標側縁部２２Ｃに変化が生じるので、端子１７，２１の位置ずれ量を容易に検出することができる。
【００５９】
＜実施形態５＞
本発明の実施形態５を図１５または図１６によって説明する。この実施形態５では、指標側縁部２２ＤとしてＴＣＰ１３の端子２１に凸部を設けるようにしたものを示す。なおこの実施形態５では、上記した実施形態１と同様の構造、作用及び効果について重複する説明は省略する。
【００６０】
ＴＣＰ１３の端子２１の両側縁部には、図１５に示すように、側方へ突出する形態の指標側縁部２２Ｄが一対設けられている。両指標側縁部２２Ｄは、端子２１の長手方向に沿って奥側と手前側とにずれて配されている。両指標側縁部２２Ｄが端子２１の側縁２１ａから突出する寸法（突出量）は、端子２１の幅寸法の約１／４の大きさに、両端子１７，２１の幅寸法の差の大きさを足した大きさ（０．０８５ｍｍ）とされる。
【００６１】
両端子１７，２１の幅方向への位置ずれ許容量は、ＴＣＰ１３の端子２１の幅寸法の１／４に設定されている。そして、ＴＣＰ１３の端子２１がプリント基板１２の端子１７に対して左側に位置ずれした場合で、その位置ずれ量が許容範囲内だったときは、図１６（Ａ）に示すように、右側の指標側縁部２２Ｄの側縁２２Ｄａ（突出端縁）が端子１７の右側の側縁１７ａよりも右側に突出し、端子１７の右側の側縁１７ａが右側の指標側縁部２２Ｄによって隠されて視認されない。一方、位置ずれ量が許容範囲を超えていた場合は、図１６（Ｂ）に示すように、右側の指標側縁部２２Ｄの側縁２２Ｄａが端子１７の右側の側縁１７ａよりも左側に配され、端子１７の右側の側縁１７が視認される。これにより、端子２１の位置ずれ量を検出することができる。なお、端子２１が右側に位置ずれした場合でも上記と同様に左側の指標側縁部２２Ｄを目視することで位置ずれ量を検出することができる。
【００６２】
＜実施形態６＞
本発明の実施形態６を図１７ないし図１９によって説明する。この実施形態６では、１つの端子２１に指標側縁部２２Ｅ，２２Ｆを４つ設けた場合を示す。なおこの実施形態６では、上記した実施形態１と同様の構造、作用及び効果について重複する説明は省略する。
【００６３】
ＴＣＰ１３の端子２１の両側縁部には、図１７に示すように、対をなす指標側縁部２２Ｅ，２２Ｆが２組、計４つ設けられている。各指標側縁部２２Ｅ，２２Ｆは、端子２１の側縁部を凹ませる形態で形成されている。詳しくは、端子２１の両側縁部のうち図示奥側には、ＴＣＰ１３の端子２１がプリント基板１２の端子１７に対して左側へ位置ずれしたときの位置ずれ量を検出するための指標側縁部２２Ｅが対をなして設けられ、図示手前側には、端子２１が右側へ位置ずれしたときの位置ずれ量を検出するための指標側縁部２２Ｆが対をなして設けられている。
【００６４】
図示奥側の組の指標側縁部２２Ｅは、端子２１の左側の側縁部に設けられ凹み幅が端子２１の幅寸法の１／４の大きさの指標側縁部２２ＥＬと、端子２１の右側の側縁部に設けられ凹み幅が端子２１の幅寸法の３／４の大きさの指標側縁部２２ＥＲとからなる。対をなす両指標側縁部２２Ｅの周縁のうち端子２１の側縁２１ａからそれぞれ最も離れた部分２２ＥＬａ，２２ＥＲａは、端子２１の中心位置から左側にずれた位置に配され、且つ共に端子２１の側縁２１ａに平行な同じ直線上に配されている。
【００６５】
一方、図示手前側の組の指標側縁部２２Ｆは、端子２１の左側の側縁部に設けられ凹み幅が端子２１の幅寸法の３／４の大きさの指標側縁部２２ＦＬと、端子２１の右側の側縁部に設けられ凹み幅が端子２１の幅寸法の１／４の大きさの指標側縁部２２ＦＲとからなる。対をなす両指標側縁部２２Ｆの周縁のうち端子２１の側縁２１ａからそれぞれ最も離れた部分２２ＦＬａ，２２ＦＲａは、端子２１の中心位置から右側にずれた位置に配され、且つ共に端子２１の側縁２１ａに平行な同じ直線上に配されている。
【００６６】
両端子１７，２１の幅方向への位置ずれ許容量は、ＴＣＰ１３の端子２１の幅寸法の１／４に設定されている。そして、ＴＣＰ１３の端子２１がプリント基板１２の端子１７に対して左側に位置ずれした場合で、その位置ずれ量が許容範囲内だったときは、図１８（Ａ）に示すように、奥側の組の指標側縁部２２Ｅにおいて左側の指標側縁部２２ＥＬには端子１７の左側の側縁１７ａが視認され、右側の指標側縁部２２ＥＲには端子１７の表面が視認される。位置ずれ量が許容範囲を超えていた場合は、図１８（Ｂ）に示すように、奥側の組の指標側縁部２２Ｅにおいて左側の指標側縁部２２ＥＬには端子１７の側縁１７ａが視認されずに基板１２の表面１２ａが視認され、右側の指標側縁部２２ＥＲには端子１７の左側の側縁１７ａが視認される。
【００６７】
その一方、ＴＣＰ１３の端子２１がプリント基板１２の端子１７に対して右側に位置ずれした場合で、その位置ずれ量が許容範囲内だったときは、図１９（Ａ）に示すように、手前側の組の指標側縁部２２Ｆにおいて右側の指標側縁部２２ＦＲには端子１７の右側の側縁１７ａが視認され、左側の指標側縁部２２ＦＬには端子１７の表面が視認される。位置ずれ量が許容範囲を超えていた場合は、図１９（Ｂ）に示すように、手前側の組の指標側縁部２２Ｆにおいて右側の指標側縁部２２ＦＲには端子１７の側縁１７ａが視認されずに基板１２の表面１２ａが視認され、左側の指標側縁部２２ＦＬには端子１７の右側の側縁１７ａが視認される。
【００６８】
以上のように端子２１が左側にずれたときは奥側の組の指標側縁部２２Ｅを、端子２１が右側にずれたときは手前側の組の指標側縁部２２Ｆを目視することで、端子２１の位置ずれ量を検出することができる。そして、位置ずれ量が許容範囲を超えると、対をなす両指標側縁部２２Ｅ，２２Ｆに変化が生じるので、端子２１の位置ずれ量を容易に検出することができる。
【００６９】
＜実施形態７＞
本発明の実施形態７を図２０ないし図２２によって説明する。この実施形態７では、端子２１に指標側縁部２２Ｇ，２２Ｈとして凹部と凸部とを設けた場合を示す。なおこの実施形態７では、上記した実施形態１と同様の構造、作用及び効果について重複する説明は省略する。
【００７０】
ＴＣＰ１３の端子２１の両側縁部には、図２０に示すように、対をなす指標側縁部２２Ｇ，２２Ｈが２組、計４つ設けられている。端子２１の両側縁部のうち図示奥側には、ＴＣＰ１３の端子２１がプリント基板１２の端子１７に対して左側へ位置ずれしたときの位置ずれ量を検出するための指標側縁部２２Ｇが対をなして設けられ、図示手前側には、端子２１が右側へ位置ずれしたときの位置ずれ量を検出するための指標側縁部２２Ｈが対をなして設けられている。
【００７１】
図示奥側の組の指標側縁部２２Ｇは、端子２１の左側の側縁部に凹む形態で形成された指標側縁部２２ＧＬと、端子２１の右側の側縁部に側方へ突出する形態で形成された指標側縁部２２ＧＲとからなる。左側の指標側縁部２２ＧＬの凹み幅は、端子２１の幅寸法の１／４の大きさとされ、右側の指標側縁部２２ＧＲの突出量は、端子２１の幅寸法の約１／４の大きさに、両端子１７，２１の幅寸法の差の大きさを足した大きさ（０．０８５ｍｍ）とされる。
【００７２】
一方、図示奥側の組の指標側縁部２２Ｈは、端子２１の右側の側縁部に凹む形態で形成された指標側縁部２２ＨＲと、端子２１の左側の側縁部に側方へ突出する形態で形成された指標側縁部２２ＨＬとからなる。右側の指標側縁部２２ＨＲの凹み幅は、端子２１の幅寸法の１／４の大きさとされ、左側の指標側縁部２２ＨＬの突出量は、端子２１の幅寸法の約１／４の大きさに、両端子１７，２１の幅寸法の差の大きさを足した大きさとされる。
【００７３】
両端子１７，２１の幅方向への位置ずれ許容量は、ＴＣＰ１３の端子２１の幅寸法の１／４に設定されている。そして、ＴＣＰ１３の端子２１がプリント基板１２の端子１７に対して左側に位置ずれした場合で、その位置ずれ量が許容範囲内だったときは、図２１（Ａ）に示すように、奥側の組の指標側縁部２２Ｇにおいて左側の指標側縁部ＧＬには端子１７の左側の側縁１７ａが視認され、端子１７の右側の側縁１７ａが右側の指標側縁部２２ＧＲによって隠されて視認されない。位置ずれ量が許容範囲を超えていた場合は、図２１（Ｂ）に示すように、奥側の組の指標側縁部２２Ｇにおいて左側の指標側縁部２２ＧＬには端子１７の側縁１７ａが視認されずに基板１２の表面１２ａが視認され、右側の指標側縁部２２ＧＲの側縁２２ＧＲａが端子１７の右側の側縁１７ａよりも左側に配され、端子１７の右側の側縁１７ａが視認される。
【００７４】
その一方、ＴＣＰ１３の端子２１がプリント基板１２の端子１７に対して右側に位置ずれした場合で、その位置ずれ量が許容範囲内だったときは、図２２（Ａ）に示すように、手前側の組の指標側縁部２２Ｈにおいて右側の指標側縁部２２ＨＲには端子１７の右側の側縁１７ａが視認され、端子１７の左側の側縁１７ａが左側の指標側縁部２２ＨＬによって隠されて視認されない。位置ずれ量が許容範囲を超えていた場合は、図２２（Ｂ）に示すように、手前側の組の指標側縁部２２Ｈにおいて右側の指標側縁部２２ＨＲには端子１７の側縁１７ａが視認されずに基板１２の表面１２ａが視認され、左側の指標側縁部２２ＨＬの側縁２２ＨＬａが端子１７の左側の側縁１７ａよりも右側に配され、端子１７の左側の側縁１７ａが視認される。
【００７５】
以上のように端子２１が左側にずれたときは奥側の組の指標側縁部２２Ｇを、端子２１が右側にずれたときは手前側の組の指標側縁部２２Ｈを目視することで、端子２１の位置ずれ量を検出することができる。そして、位置ずれ量が許容範囲を超えると、対をなす両指標側縁部２２Ｇ，２２Ｈに変化が生じるので、端子２１の位置ずれ量を容易に検出することができる。
【００７６】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００７７】
（１）指標側縁部の形状については任意に変更可能である。例えば、指標側縁部の周縁が曲面により構成されるものも本発明に含まれる。また指標側縁部の凹み量（突出量）については、上記した各実施形態に記載したもの以外にも任意に変更可能である。また指標側縁部を１つの端子に５つ以上設けるようにしても構わない。
【００７８】
（２）プリント基板の端子とＴＣＰの端子の双方に指標側縁部を設けるようにしても構わない。
【００７９】
（３）上記した実施形態では、ＴＣＰとプリント基板とを接続する場合を例示したが、ＴＣＰと液晶パネルとを接続する場合にも本発明は適用可能である。
【００８０】
（４）両端子の位置ずれ許容量については、設定される両端子間の接続抵抗値やＡＣＦの性能などに応じて上記した各実施形態以外にも適宜に変更可能である。
【００８１】
（５）上記した実施形態では、両端子がＡＣＦを介して接続される場合を示したが、例えば半田を介して両端子が接続されるものにも本発明は適用可能である。
【００８２】
（６）上記した実施形態では、両端子を接続した後に目視検査を行う場合を示したが、両端子を位置合わせした後に目視検査を行い、その後両端子を接続するような工程を経るものにも本発明は適用可能である。
【００８３】
（７）上記した実施形態では、両端子の幅寸法が異なる場合を示したが、両端子の幅寸法が同じものにも本発明は適用可能である。
【００８４】
（８）上記した実施形態では、透光性フィルムから形成されるＴＣＰを接続する場合を示したが、共に非透光の基板同士を接続する場合にも本発明は適用可能である。その場合は、Ｘ線により両端子の位置ずれを検査するようにすればよい。
【００８５】
（９）本発明は、液晶表示装置以外にも、プラズマディスプレイやＥＬディスプレイなどにも適用可能である。
【図面の簡単な説明】
【００８６】
【図１】本発明の実施形態１に係る液晶表示装置の平面図
【図２】プリント基板の拡大平面図
【図３】ＴＣＰの拡大平面図
【図４】両端子が位置ずれなく接続された状態を示す拡大平面図
【図５】両端子が位置ずれしたものの、位置ずれ量が許容範囲内だった場合を示す拡大平面図
【図６】両端子が位置ずれし、位置ずれ量が許容範囲を越えていた場合を示す拡大平面図
【図７】本発明の実施形態２に係るＴＣＰの端子の拡大平面図
【図８】両端子が位置ずれしたものの、位置ずれ量が許容範囲内だった場合を示す拡大平面図
【図９】両端子が位置ずれし、位置ずれ量が許容範囲を越えていた場合を示す拡大平面図
【図１０】本発明の実施形態３に係る両端子の拡大平面図
【図１１】（Ａ）ＴＣＰの端子が左側に位置ずれしたものの、位置ずれ量が許容範囲内だった場合を示す拡大平面図  （Ｂ）ＴＣＰの端子が左側に位置ずれし、位置ずれ量が許容範囲を越えていた場合を示す拡大平面図
【図１２】（Ａ）ＴＣＰの端子が右側に位置ずれしたものの、位置ずれ量が許容範囲内だった場合を示す拡大平面図  （Ｂ）ＴＣＰの端子が右側に位置ずれし、位置ずれ量が許容範囲を越えていた場合を示す拡大平面図
【図１３】本発明の実施形態４に係る両端子の拡大平面図
【図１４】（Ａ）両端子が位置ずれしたものの、位置ずれ量が許容範囲内だった場合を示す拡大平面図  （Ｂ）両端子が位置ずれし、位置ずれ量が許容範囲を越えていた場合を示す拡大平面図
【図１５】本発明の実施形態５に係る両端子の拡大平面図
【図１６】（Ａ）両端子が位置ずれしたものの、位置ずれ量が許容範囲内だった場合を示す拡大平面図  （Ｂ）両端子が位置ずれし、位置ずれ量が許容範囲を越えていた場合を示す拡大平面図
【図１７】本発明の実施形態６に係る両端子の拡大平面図
【図１８】（Ａ）ＴＣＰの端子が左側に位置ずれしたものの、位置ずれ量が許容範囲内だった場合を示す拡大平面図  （Ｂ）ＴＣＰの端子が左側に位置ずれし、位置ずれ量が許容範囲を越えていた場合を示す拡大平面図
【図１９】（Ａ）ＴＣＰの端子が右側に位置ずれしたものの、位置ずれ量が許容範囲内だった場合を示す拡大平面図  （Ｂ）ＴＣＰの端子が右側に位置ずれし、位置ずれ量が許容範囲を越えていた場合を示す拡大平面図
【図２０】本発明の実施形態７に係る両端子の拡大平面図
【図２１】（Ａ）ＴＣＰの端子が左側に位置ずれしたものの、位置ずれ量が許容範囲内だった場合を示す拡大平面図  （Ｂ）ＴＣＰの端子が左側に位置ずれし、位置ずれ量が許容範囲を越えていた場合を示す拡大平面図
【図２２】（Ａ）ＴＣＰの端子が右側に位置ずれしたものの、位置ずれ量が許容範囲内だった場合を示す拡大平面図  （Ｂ）ＴＣＰの端子が右側に位置ずれし、位置ずれ量が許容範囲を越えていた場合を示す拡大平面図
【符号の説明】
【００８７】
１２…プリント基板（他方の回路基板）
１３…ＴＣＰ（一方の回路基板、透光性フィルム基板）
１７…端子
１７ａ…側縁
２１…端子
２１ａ…側縁
２２（２２Ａ，２２Ｂ，２２Ｃ，２２Ｄ，２２Ｅ，２２Ｆ，２２Ｇ，２２Ｈ）…指標側縁部（凹部）
【図１】
2007335421.tif 000003
【図２】
2007335421.tif 000004
【図３】
2007335421.tif 000005
【図４】
2007335421.tif 000006
【図５】
2007335421.tif 000007
【図６】
2007335421.tif 000008
【図７】
2007335421.tif 000009
【図８】
2007335421.tif 000010
【図９】
2007335421.tif 000011
【図１０】
2007335421.tif 000012
【図１１】
2007335421.tif 000013
【図１２】
2007335421.tif 000014
【図１３】
2007335421.tif 000015
【図１４】
2007335421.tif 000016
【図１５】
2007335421.tif 000017
【図１６】
2007335421.tif 000018
【図１７】
2007335421.tif 000019
【図１８】
2007335421.tif 000020
【図１９】
2007335421.tif 000021
【図２０】
2007335421.tif 000022
【図２１】
2007335421.tif 000023
【図２２】
2007335421.tif 000024